(57)【要約】【課題】  植木鉢への水の供給の手間を改善すると共に、室内等での使用や近くに水供給源がない場所での使用が可能な鉢置台を提供する。【解決手段】  棚部１〜３を上から順に配置し、棚部１〜棚部３の左右に、側板４及び５を配置する。棚部１と棚部２との間及び棚部２と棚部３との間に、落水受板８及び９を取り付ける。最上段の棚部１からの水は、落水受板８で受けられ、落水受板８を介して、中段の棚部２に導かれる。そして、中段の棚部２からの水は、落水受板９で受けられ、落水受板９を介して、最下段の棚部３に導かれる。最下段の棚部３の水は、ポンプにより、パイプ７５を介して、最上段の棚部１に再び送られる。これにより、棚部１〜棚部３で水が循環する。このため、植木鉢への水の供給が不要になると共に、流水による視覚的効果が期待でき、また、水を流れる音を鑑賞することができる。【選択図】        図１
0003111985.tif 000002
【実用新案登録請求の範囲】
【請求項１】
植木鉢が置かれる複数段の棚部と、
最上段にある前記棚部から最下段にある前記棚部まで水を順次落下させ、最下段にある前記棚部まで落下した水を最上段の前記棚部に送り、最上段にある前記棚部と最下段にある前記棚部との間で水を循環させる水循環機構と、
前記複数段の棚部の間でその上段にある前記棚部から落水する水を受けその下段にある前記棚部にその水を導く落水受板と
を備えるようにしたことを特徴とする鉢置台。
【請求項２】
前記棚部に、前記水循環機構により循環される水を濾過するとともに均等に落下させるフィルタ部材を配設するようにしたことを特徴とする請求項１に記載の鉢置台。
【請求項３】
前記落水受板は、その下縁部が上縁部よりも前方に位置する傾斜を有する状態で固定されることを特徴とする請求項１に記載の鉢置台。
【請求項４】
前記落水受板は、複数の横方向溝を有する部材からなることを特徴とする請求項１に記載の鉢置台。
【考案の詳細な説明】
【技術分野】
【０００１】
本考案は、植木鉢を置くのに用いられる鉢置台に関するもので、特に、植木鉢への水を供給するとともに棚の背景に滝の流れを連想させる落水受板を用いた鉢置台に関する。
【背景技術】
【０００２】
近年、部屋の中やマンションのベランダ等で鉢植えの植物の栽培を楽しむ家庭が増えている。鉢植えの植物を育てる場合には、定期的な水の供給が不可欠である。水の供給を怠ると、植物の生育が遅れてしまったり、枯れてしまったりする。しかしながら、水の供給は大変な作業であり、水の供給を忘れてしまうことが良くある。
【０００３】
そこで、水の供給を怠っても大丈夫なように、植木鉢の下に受け皿を敷き、この受け皿に水を貯めておくことが行われている。
【０００４】
また、特許文献１には、水供給源と接続され散水孔が形成された散水ノズルと、水供給源と散水ノズルとの間に設けられた開閉弁と、予め設定された散水情報にしたがって開閉弁を開閉制御する散水制御手段とを備え、指定された時刻における植物への水の供給を自動的に行うことができるようにしたものが提案されている。
【特許文献１】特開平１１−２９９３７３号公報
【考案の開示】
【考案が解決しようとする課題】
【０００５】
上述のように、受け皿に水を貯めておくと、受け皿に水がある間は、植木鉢の土に水が浸透し、鉢植えの植物が水を吸い上げることができる。しかしながら、この場合、老廃した水が受け皿に溜まり、根腐れの原因となる。また、たとえ、受け皿に水を貯めておいたとしても、受け皿の水が全て乾いてしまった場合には、水の供給が不可欠となる。
【０００６】
特許文献１で示されているものでは、水の供給が自動的に行われるので、水の供給を忘れてしまうことがなくなる。また、長期の旅行のような場合にも、水の供給の心配がいらない。しかしながら、特許文献１のものでは、散水ノズルで水を撒き散らすため、室内での使用は困難である。また、特許文献１のものでは、水供給源からの水を散水ノズルで撒いているため、近くに水供給源としての蛇口がない場合には、使用することができない。
【０００７】
上述の課題を鑑み、本考案は、植木鉢への水の供給の手間を改善すると共に、室内等での使用や近くに水供給源がない場所での使用が可能な鉢置台を提供することを目的とする。
【課題を解決するための手段】
【０００８】
本考案に係る鉢置台は、鉢植えの植物が置かれる複数段の棚部と、最上段にある棚部から最下段にある棚部まで水を順次落下させ、最下段にある棚部まで落下した水を最上段の棚部に送り、最上段にある棚部と最下段にある棚部との間で水を循環させる水循環機構と、複数段の棚部の間でその上段にある棚部から落水する水を受けその下段にある棚部にその水を導く落水受板とを備えるようにしたことを特徴とする。
【０００９】
好ましくは、棚部に、水循環機構により循環される水を濾過するとともに均等に落下させるフィルタ部材を配設するようにしたことを特徴とする。
【００１０】
好ましくは、落水受板は、下縁部が上縁部よりも前方に位置する傾斜を有する状態で固定されることを特徴とする。
【００１１】
好ましくは、落水受板は、複数の横方向溝を有する部材からなることを特徴とする。
【考案の効果】
【００１２】
本考案によれば、鉢植えの植物が置かれる複数段の棚部と、最上段にある棚部から最下段にある棚部まで水を順次落下させ、最下段にある棚部まで落下した水を最上段の棚部に送り、最上段にある棚部と最下段にある棚部との間で水を循環させる水循環機構と、複数段の棚部の間でその上段にある棚部から落水する水を受けその下段にある棚部にその水を導く落水受板と備えるようにしている。このため、植木鉢の下に絶えず水が流れるようになり、植木鉢の植物への水の供給が不要になる。また、循環する水を利用しているため、近くに水供給源がない場所でも使用できる。また、複数段の棚部の間に落水受板を設けるようにしているので、棚部から落ちる水が跳ね散るのを防止することができ、室内での使用が可能である。また、水が落水受板を流れる流水の視覚的効果が期待できると共に、せせらぎのような流水による音を鑑賞して楽しむことができる。
【００１３】
また、本考案によれば、棚部に、水循環機構により循環される水を濾過するとともに均等に落下させるフィルタ部材を配設するようにしているので、循環する水が絶えず濾過され、水が老廃しない。このため、根腐れの心配がなくなる。
【００１４】
また、本考案によれば、落水受板は、下縁部が上縁部よりも前方に位置する傾斜を有する状態で固定されているので、上方の棚部から落水する水を受け、水の落下速度を下げて、その水をその下段の棚部に導くことができ、棚部から落ちる水が跳ね散ることが防止できる。
【００１５】
また、本考案によれば、落水受板は、複数の横方向溝を有する部材からなるようにしているので、落水受板に落ちた水が横に広がり、落下する水を棚部全体に導くことができる。また、横方向溝の抵抗により、水の落下速度が下がり、棚部から落ちる水が跳ね散るのを防止できる。また、落水受板に落ちる流水が特有の形に広がり、視覚的効果を楽しむことができる。
【考案を実施するための最良の形態】
【００１６】
以下、本考案の第１実施形態について図面を参照しながら説明する。図１及び図２は、本考案の第１実施形態の鉢置台の正面斜視図及びは背面斜視図である。図１及び図２において、１〜３は棚部、４及び５は側板、６及び７は脚部、８及び９は落水受板である。
【００１７】
図３は、本考案の第１実施形態における最上段の棚部の説明に用いる分解斜視図である。図４は、本考案の第１実施形態における最上段の棚部の説明に用いる平面図である。最上段の棚部１は、図３及び図４に示すように、底板１１ａと、左右の側板１１ｂ及び１１ｃと、前後の側板１１ｄ及び１１ｅとからなる。棚部１の底板１１ａには、図４に示すように、後側の側板１１ｅの近傍に沿って、給水パイプ挿入口２１と、複数の排水口２２ａ〜２２ｅとが穿設される。また、棚部１の底板１１ａに仕切板２３が設けられる。棚部１の後側の側板１１ｅと、左右の側板１１ｂ及び１１ｃと、仕切板２３とにより囲まれる部分に、図１に示すように、フィルタ部材２４が置かれる。フィルタ部材２４は、ゴミや落ち葉等を濾過するとともに、フィルタ部材２４に蓄積された水を排水口２２ａ〜２２ｅに均等に供給する働きをする。フィルタ部材２４としては、ウレタン等が用いられる。また、棚部１の左右の側板１１ｂ及び１１ｃには、取付穴２５ａ、２５ｂ及び取付穴２５ｃ、２５ｄが穿設される。
【００１８】
棚部１の底板１１ａの外側に、図３に示すように、後側の側板１１ｅに沿って、Ｌ字部材２６が取り付けられる。このＬ字部材２６には、孔２８ａ〜２８ｅが設けられる。孔２８ａ〜２８ｅの位置は、図４に示す排水口２２ａ〜２２ｅの位置に対応している。孔２８ａ〜２８ｅには、排出パイプ２９ａ〜２９ｅがそれぞれ取り付けられ、これらの排出パイプ２９ａ〜２９ｅはそれぞれＬ字部材２６の孔２８ａ〜２８ｅに貫通される。
【００１９】
図５は、本考案の第１実施形態における中段の棚部の説明に用いる分解斜視図である。図６は、本考案の第１実施形態における中段の棚部の説明に用いる平面図である。中段の棚部２は、図５及び図６に示すように、底板１２ａと、左右の側板１２ｂ及び１２ｃと、前後の側板１２ｄ及び１２ｅとからなる。棚部２の底板１２ａには、図６に示すように、後側の側板１２ｅの近傍に沿って、給水パイプ挿入口３１と、複数の排水口３２ａ〜３２ｅとが穿設される。また、棚部２の底板１２ａに仕切板３３が設けられる。棚部２の後側の側板１２ｅと、左右の側板１２ｂ及び１２ｃと、仕切板３３とにより囲まれる部分に、図５に示すように、フィルタ部材３４が置かれる。フィルタ部材３４は、ゴミや落ち葉等を濾過するとともに、フィルタ部材２４に蓄積された水を排水口３２ａ〜３２ｅに均等に供給する働きをする。フィルタ部材３４としては、ウレタン等が用いられる。また、棚部２の左右の側板１２ｂ及び１２ｃには、取付穴３５ａ、３５ｂ及び取付穴３５ｃ、３５ｄが穿設される。
【００２０】
棚部２の底板１２ａの外側に、図５に示すように、後側の側板１２ｅに沿って、Ｌ字部材３６が取り付けられる。このＬ字部材３６には、孔３８ａ〜３８ｅが設けられる。孔３８ａ〜３８ｅの位置は、図６に示す排水口３２ａ〜３２ｅの位置に対応している。孔３８ａ〜３８ｅには、排出パイプ３９ａ〜３９ｅがそれぞれ取り付けられ、これらの排出パイプ３９ａ〜３９ｅはそれぞれＬ字部材３６の孔３８ａ〜３８ｅに貫通される。更に、棚部２の後側板１２ｅからは、図６に示すように、内側に突出するピン６２ａ及び６２ｂが植立される。
【００２１】
図７は、本考案の第１実施形態における最下段の棚部の説明に用いる分解斜視図である。最下段の棚部３は、図７に示すように、底板１３ａと、左右の側板１３ｂ及び１３ｃと、前後の側板１３ｄ及び１３ｅとからなる。棚部３の底板１３ａには、ポンプ取付用の切欠４１が形成される。この切欠４１に、図７に示すように、ケース４２に収納されたポンプ４３が取り付けられる。また、棚部３の左右の側板１３ｂ及び１３ｃには、取付穴４５ａ、４５ｂ及び取付穴４５ｃ、４５ｄが穿設される。更に、棚部３の後側板１３ｅからは、内側に突出するピン７２ａ及び７２ｂが植立される。
【００２２】
図１及び図２に示すように、棚部１、棚部２、棚部３が上から順に配置され、棚部１〜棚部３の左右に、側板４及び５が配置される。側板４及び５の上段に、ボルト５１ａ、５１ｂ及びボルト５１ｃ、５１ｄにより、最上段の棚部１が取り付けられる。側板４及び５の中段に、ボルト５３ａ、５３ｂ及びボルト５３ｃ、５３ｄにより、中段の棚部２が取り付けられる。側板４及び５の最下段に、ボルト５５ａ、５５ｂ及びボルト５５ｃ、５５ｄにより、最下段の棚部３が取り付けられると共に、脚部６及び７が取り付けられる。
【００２３】
棚部１と棚部２との間及び棚部２と棚部３との間に、落水受板８及び９が取り付けられる。すなわち、図２に示すように、落水受板８の上縁部は、ボルト６１ａ〜６１ｅにより、棚部１の後縁に取り付けられたＬ字部材２６に固定される。そして、落水受板８は、その下縁部がピン６２ａ及び６２ｂにより上縁部よりも前方に位置する角度で取り付けられる。同様に、落水受板９の上縁部は、ボルト７１ａ〜７１ｅにより、棚部２の後縁に取り付けられたＬ字部材３６に固定される。そして、落水受板９は、その下縁がピン７２ａ及び７２ｂにより上縁よりも前方に位置する角度で取り付けられる。
【００２４】
最下段の棚部３のポンプ４３には、図１に示すように、パイプ７５が接続される。このパイプ７５は、中段の棚部２の給水パイプ挿入口３１を貫通して、最上段の棚部１の給水パイプ挿入口２１内に供給され（図４及び図６参照）、パイプ７５の先端にはノズル７５ａが設けられ、棚部１の内側に向けて曲げられる。
【００２５】
本考案の第１実施形態の鉢置台では、ポンプ４３と、パイプ７５と、棚部１〜３と、棚部１の排出パイプ２９ａ〜２９ｅと、棚部２の排出パイプ３９ａ〜３９ｅとにより、棚部１〜棚部３で水を循環させるための水循環機構が構成される。
【００２６】
つまり、図８は、本考案の第１実施形態の鉢置台の水循環機構を説明するものである。図８に示すように、パイプ７５からの水は前側板１１ｄと底板１１ａと仕切板２３で囲まれたプールの部分に供給され、水溜まりが仕切板２３を超えると水は仕切板２３を越えてフィルタ部材２４に供給される。また、最上段の棚部１の水は、排出パイプ２９ａ〜２９ｅから落下し、落水受板８で受けられ、落水受板８を介して、中段の棚部２の前側板１２ｄと底板１２ａと仕切板３３で囲まれたプールの部分に供給され、水溜まりが仕切板３３を超えると水は仕切板３３を越えてフィルタ部材３４に供給される。さらに、中段の棚部２の水は、排出パイプ３９ａ〜３９ｅから落下し、落水受板９で受けられ、落水受板９を介して、最下段の前側板１３ｄと底板１３ａと後側板１３ｅで囲まれたプールの部分に供給され。最下段の棚部３の水は、ポンプ４３により、パイプ７５を介して、最上段の棚部１に再び送られる。これにより、棚部１〜棚部３で水が循環する。
【００２７】
また、棚部１にはフィルタ部材２４が置かれ、棚部２にはフィルタ部材３４が置かれている。このため、棚部１〜棚部３で水が循環する過程で、ゴミや落ち葉はフィルタ部材２４及び３４で除去される。したがって、棚部１〜棚部３には、常に、浄化され水を送ることができる。
【００２８】
図９は、本考案の第１実施形態の鉢置台の使用状態を示すものである。図９において、最上段の棚部１のプール部分には植木鉢１０ａ〜１０ｃが置かれ、中断の棚部２のプール部分には植木鉢１０ｄ〜１０ｆがかれ、最下段の棚部３のプール部分には植木鉢１０ｇ〜１０ｉが置かれる。
【００２９】
本考案の第１実施形態の鉢置台では、前述した水循環機構により、最上段の棚部１からの水は、落水受板８を介して、その下の棚部２に導かれ、棚部２からの水は、落水受板９を介して、その下の棚部３に導かれ、最下段の棚部３の水は、パイプ７５を介して、最上段の棚部１に再び送られ、棚部１〜棚部３で水が循環している。したがって、植木鉢１０ａ〜１０ｉに、絶えず、水を与えることができる。
【００３０】
また、棚部１〜３を循環する水の中のゴミや落ち葉はフィルタ部材２４及び３４で除去されるため、棚部１〜棚部３には、常に、浄化した水を送ることができ、老廃した水による根腐れが発生しない。
【００３１】
また、棚部１から落下した水は落水受板８により受けられ、落水受板８を介して、棚部２に送られる。棚部２から落下した水は落水受板９により受けられ、落水受板９を介して、棚部１に送られる。落水受板８及び９は、下縁部が上縁部よりも前方に位置するような角度で取り付けられる。このため、棚部１から棚部２に落下する水及び棚部２から棚部３に落下する水の速度が落水受板８及び９により下げられ、落水する水が跳ね散ることが防止される。このため、室内での使用が可能である。更に、水が落水受板８及び９を流れる流水の視覚的効果や、せせらぎの音のような流水による音を楽しむことができる。また、フィルタ部材２４及び３４は水を蓄えることができるので、フィルタ部材２４及び３４に蓄えられた水がそれぞれの排出パイプ２９ａ〜２９ｅおよび９ａ〜３９ｅから均等に落下し、その効果として滝から落ちる水が横方向に均等に広がるという効果がある。
【００３２】
なお、上述の実施形態では、棚の段数は３段としているが、３段に限定されるものではなく、複数段であれば何段でもよい。
【００３３】
第２実施形態．
図１０は、本考案の第２実施形態を示すものである。この実施形態では、落水受板８及び９として、図１１に示すように、その表面に、複数の横縞模様の溝８が設けられるものが用いられる。他の構成は、前述の第１実施形態と同様であり、同一部分には同一符号を付し、その説明を省略する。
【００３４】
このように、落水受板８及び９として複数の横溝８１が設けられるものが用いると、落水受板８及び９に落ちた水が横に広がり、落下する水を棚部全体に導くことができる。また、横溝８１の抵抗により、水の落下速度が下がり、棚部から落ちる水が跳ね散るのを防止できる。また、落水受板８及び９に落ちる水が横に広がり、特有の視覚的効果が得られる。
【００３５】
なお、上述の例では、落水受板８及び９の溝形状を一直線の横溝としているが、これに限定されるものではなく、他の模様としても良い。例えば、落水受板８及び９の横溝の形状を波形としても良い。
【００３６】
更に、本考案は、上述した実施形態に限定されるものではなく、本考案の要旨を逸脱しない範囲内で様々な変形や応用が可能である。
【産業上の利用可能性】
【００３７】
本考案は、水の供給の手間を削減させる鉢置台として、部屋やマンションのベランダで鉢植えを栽培する場合に用いることができる。
【図面の簡単な説明】
【００３８】
【図１】本考案の第１実施形態の正面斜視図である。
【図２】本考案の第１実施形態の背面斜視図である。
【図３】本考案の第１実施形態における最上段の棚部の説明に用いる分解斜視図である。
【図４】本考案の第１実施形態における最上段の棚部の説明に用いる平面図である。
【図５】本考案の第１実施形態における中段の棚部の説明に用いる分解斜視図である。
【図６】本考案の第１実施形態における中段の棚部の説明に用いる平面図である。
【図７】本考案の第１実施形態における最下段の棚部の説明に用いる分解斜視図である。
【図８】本考案の第１実施形態における水循環機構の説明図である。
【図９】本考案の第１実施形態の使用状態の説明に用いる斜視図である。
【図１０】本考案の第２実施形態の正面斜視図である。
【図１１】本考案の第２実施形態の落水受板の溝を示した断面図である。
【符号の説明】
【００３９】
１，２，３  棚部
４，５  側板
６，７  脚部
８，９  落水受板
１０ａ〜１０ｉ  植木鉢
１１ａ  底板
１１ｂ，１１ｃ  左右の側板
１１ｄ，１１ｅ  前後の側板
１２ａ  底板
１２ｂ，１２ｃ  左右の側板
１２ｄ，１２ｅ  前後の側板
１３ａ  底板
１３ｂ，１３ｃ  左右の側板
１３ｄ，１３ｅ  前後の側板
２１  給水パイプ挿入口
２２ａ〜２２ｅ  排水口
２３  仕切板
２４  フィルタ部材
２５ａ〜２５ｄ  取付穴
２６  Ｌ字部材
２８ａ〜２８ｅ  孔
２９ａ〜２９ｅ  排出パイプ
３１  給水パイプ挿入口
３２ａ〜３２ｅ  排水口
３３  仕切板
３４  フィルタ部材
３５ａ〜３５ｄ  取付穴
３６  Ｌ字部材
３８ａ〜３８ｅ  孔
３９ａ〜３９ｅ  排出パイプ
４１  切欠
４２  ケース
４３  ポンプ
４５ａ〜４５ｄ  取付穴
５１ａ〜５１ｃ，５３ａ〜５３ｃ，５５ａ〜５５ｃ  ボルト
６１ａ〜６１ｅ  ボルト
６２ａ，６２ｂ  ピン
７１ａ〜７１ｅ  ボルト
６２ａ，６２ｂ  ピン
７５ パイプ
【図１】
0003111985.tif 000003
【図２】
0003111985.tif 000004
【図３】
0003111985.tif 000005
【図４】
0003111985.tif 000006
【図５】
0003111985.tif 000007
【図６】
0003111985.tif 000008
【図７】
0003111985.tif 000009
【図８】
0003111985.tif 000010
【図９】
0003111985.tif 000011
【図１０】
0003111985.tif 000012
【図１１】
0003111985.tif 000013